(57)【要約】【課題】複数本の電線の並びを横並びまたは縦並びの間で変換できる電線並び変換プロテクタを提供する。【解決手段】複数本の電線２０が入線する入口１１と電線２０が出線する出口１２とを備えた箱１３であり、入口１１または出口１２のうち一方が横長の開口１１であり、他方が縦長の開口１２である。このため、入口１１から入った複数本の電線２０の位置関係を横並びから縦並びに、あるいは縦並びから横並びに変換して出口１２から出線するので、確実に電線２０の並びを変換できる。【選択図】        図１
2004242437.tif 000002
【特許請求の範囲】
【請求項１】
複数本の電線が入線する入口と当該電線が出線する出口とを備えた箱であり、前記入口または前記出口のうち一方が横長の開口であり、他方が縦長の開口であること、を特徴とする電線並び変換プロテクタ。
【請求項２】
前記箱が、前記入口から前記出口まで連続して開口可能な蓋を有すること特徴とする請求項１に記載した電線並び変換プロテクタ。
【請求項３】
前記横長の開口の横幅が前記複数本の電線を横一列に並べたときの全幅に相当するとともに高さが前記電線の外径に相当し、前記縦長の開口の高さが前記複数本の電線を縦一列に並べたときの高さに相当するとともに幅が前記電線の外径に相当することを特徴とする請求項１または２に記載した電線並び変換プロテクタ。
【発明の詳細な説明】
【０００１】
【発明の属する技術分野】
この発明は、複数本の太い電線を横並びと縦並びとの間で並び換えるための電線並び変換プロテクタに関するものである。
【０００２】
【従来の技術】
従来、例えば自動車の電線の配策は、タイラップで束ねてファスナで車体に固定することが行われていた。従って、電線の並びが横並びと縦並びの間で並び換える際には、タイラップで束ねる際に並び換えて束ねることが行われていた。
一方、電線配策用のプロテクタとしては、図６に示すようなものが開示されている（例えば、特許文献１参照。）。
【０００３】
図６に示すように、このプロテクタ１００では、電線をクランク状に配策するために、角筒をクランク状に屈折させたものである。
このプロテクタ１００は、上下の分割プロテクタ１０１Ｕ、１０１Ｌに分割されており、ヒンジ１０２により開閉自在に設けられている。この分割プロテクタ１０１Ｕ、１０１Ｌの両側面の左右対称位置に車体固定部１０３をそれぞれ設けることにより、同一金型で右に屈曲して車体に固定できるクランク状の右プロテクタ１００Ｒと、左に屈曲して車体に固定できるクランク状の左プロテクタ１００Ｌを製造できるようにしたものである。
【０００４】
【特許文献１】
特開平８−１８２１４５号公報（第３頁、第１図）
【０００５】
【発明が解決しようとする課題】
しかしながら、前述したようにタイラップで束ねてファスナで固定して電線を配策する場合には、太い電線（ワイヤハーネス）が複数本あると、電線を横並びから縦並びあるいは縦並びから横並びに変換する状態、すなわちねじり状態を維持することが困難である。
また、前述したプロテクタ１００では、プロテクタ１００の断面が、複数本の電線を横並びしたときの幅および高さ（外径）の大きさに形成されている。このため、太い複数本の電線を内部に通して同一平面上で左右に平行移動させるだけであり、電線の横並びまたは縦並び等の並び換えはできなかった。
【０００６】
本発明は、前述した問題点に鑑みてなされたものであり、その目的は、複数本の電線の並びを横並びまたは縦並びの間で変換できる電線並び変換プロテクタを提供することにある。
【０００７】
【課題を解決するための手段】
前述した目的を達成するために、本発明にかかる電線並び変換プロテクタは、請求項１に記載したように、複数本の電線が入線する入口と当該電線が出線する出口とを備えた箱であり、前記入口または前記出口のうち一方が横長の開口であり、他方が縦長の開口であること、を特徴としている。
【０００８】
このように構成された電線並び変換プロテクタにおいては、入口から入った複数本の電線の位置関係を横並びから縦並びに、あるいは縦並びから横並びに変換して出口から出線するので、確実に電線の並びを変換できる。
【０００９】
また、本発明にかかる電線並び変換プロテクタは、請求項２に記載したように、請求項１に記載した電線並び変換プロテクタにおいて、前記箱が、前記入口から前記出口まで連続して開口可能な蓋を有すること特徴としている。
【００１０】
このように構成された電線並び変換プロテクタにおいては、蓋を開けると入口から出口まで開口するので、容易に電線を開口から箱に収納して並びを変換できる。
【００１１】
また、本発明にかかる電線並び変換プロテクタは、請求項３に記載したように、請求項１または２に記載した電線並び変換プロテクタにおいて、前記横長の開口の横幅が前記複数本の電線を横一列に並べたときの全幅に相当するとともに高さが前記電線の外径に相当し、前記縦長の開口の高さが前記複数本の電線を縦一列に並べたときの高さに相当するとともに幅が前記電線の外径に相当することを特徴としている。
【００１２】
このように構成された電線並び変換プロテクタにおいては、横長の開口においては、開口の幅が複数本の電線を横並びにしたときの幅に対応し、開口の高さが電線の高さ（外径）に対応しているので、複数本の電線は横並びに位置決めされる。
一方、縦長の開口においては、開口の高さが複数本の電線を縦並びにしたときの高さに対応し、開口の幅が電線の幅（外径）に対応しているので、複数本の電線は縦並びに位置決めされる。このため、複数本の電線は、箱の内部において並びが変換されることになる。
【００１３】
【発明の実施の形態】
以下、本発明に係る電線並び変換プロテクタの実施の形態を図面に基づいて詳細に説明する。図１は本発明に係る電線並び変換プロテクタの蓋を開けた状態を示す斜視図、図２は蓋を閉めた状態を示す斜視図、図３（Ａ）は変換プロテクタ内における電線の配線を示す正面図、図３（Ｂ）は変換プロテクタ内における電線の配線を示す平面図、図４は蓋の変形例を示す斜視図である。
【００１４】
図１〜図３に示すように、本発明に係る電線並び変換プロテクタの実施形態である電線並び変換プロテクタ１０は、複数本の電線２０が入線する入口１１と出線する出口１２を有する箱１３である。入口１１または出口１２のうち一方が横長の開口であり、他方が縦長の開口である。
ここでは、図１において右側の横長の開口を入口１１とし、図１において左側の縦長の開口を出口１２とする場合について説明する。
なお、入口１１および出口１２が逆の場合も全く同様に扱うことができる。
【００１５】
横長の開口（例えば入口１１）の横幅が複数本の電線２０を横一列に並べたときの全幅に相当するとともに高さが電線２０の外径に相当し、縦長の開口（例えば出口１２）の高さが複数本の電線２０を縦一列に並べたときの高さに相当するとともに幅が電線２０の外径に相当している。
すなわち、図３（Ａ）および（Ｂ）に示すように、入口１１は横長の開口であり、横幅Ｗ１は電線２０Ａ、２０Ｂの外径Ｄの２倍であって、高さＨ１は電線２０Ａ、２０Ｂの外径Ｄである。一方、出口１２は縦長の開口であり、高さＨ２は電線２０Ａ、２０Ｂの外径Ｄの２倍であって、横幅Ｗ２は電線２０Ａ、２０Ｂの外径Ｄである。
【００１６】
従って、図３（Ｂ）に示すように、上から見ると電線２０Ｂは、入口１１から出口１２に真っ直ぐ通っており、電線２０Ａは電線２０Ｂの横から電線２０Ｂの下に移動する。
一方、正面から見ると図３（Ａ）に示すように、電線２０Ａは同じ高さで入口１１から出口１２に通っているが、電線２０Ｂは入口１１から出口１２までの途中において電線２０Ａの上側に移動する。これにより、横に並んでいた電線２０Ａ、２０Ｂは、変換プロテクタ１０によって縦並びに変換されることになる。
【００１７】
箱１３は、複数の電線２０を支持して、例えば自動車の車体等に固定される本体１４と、この本体１４に対して開閉自在の蓋１５とを有している。
本体１４の底面１４ａは例えば自動車の車体に取り付け易いように平面となっている。また、変換プロテクタ１０を車体等に取り付けるために、複数個の取付けブラケット１６が底面１４ａと同一平面上で外側に張り出して設けられている。また、本体１４は、蓋１５を開けると入口１１から出口１２まで連続して開口するようになっているので、蓋１５を開けた状態で電線２０を上から本体１４の内部に容易に嵌め込むことができる。
【００１８】
図２に示すように、蓋１５は、電線２０Ａの上に乗り上げる電線２０Ｂを収容するために、本体１４の上端位置に対応する平面状の下部１５Ｌから上方へ膨らんだ上部１５Ｕが設けられている。上部１５Ｕの右側面１７Ｒ（図３（Ｂ）において上側面）は垂直であり、左側面１７Ｌ（図３（Ｂ）において下側面）は下部１５Ｌに向かって拡がるような傾斜面となっている。この傾斜面は外側に凸となるような曲面形状にすることもできるし、平面状とすることもできる。
また、蓋１５の下部１５Ｌには、本体１４上部に設けられている係止突起１８に係止される係止部材１９が設けられており、電線２０Ａ、２０Ｂを収納して蓋１５を閉じた後に係止部材１９を係止突起１８により係止して、蓋１５をロックできるようになっている。
【００１９】
従って、２本の電線２０Ａ、２０Ｂの並びを変換プロテクタ１０により横並びから縦並びに変換する際には、２本の電線２０Ａ、２０Ｂが互いに独立している場合には、電線２０Ａを箱１３の本体１４の形状に沿って右側に移動するように配線し、電線２０Ｂを変換プロテクタ１０の内部において電線２０Ａの上に乗るように真っ直ぐに配線する。
その後、蓋１５を閉じ、蓋１５の係止部材１９を本体１４の係止突起１８により係止して蓋１５をロックし、取付けブラケット１６を車体等に取り付ける。
【００２０】
一方、２本の電線２０Ａ、２０Ｂが一体に連結されている場合には、横並びで入口１１から箱１３の本体１４内部に配線し、本体１４の内部において２本の電線２０Ａ、２０Ｂを、電線２０Ａを中心として９０度ねじって電線２０Ｂが電線２０Ａの上側に位置するように配線して出口１２から出線させる。その後、蓋１５を閉じて蓋１５をロックして、取付けブラケット１６を車体等に取り付けるのは前述の場合と同様である。
【００２１】
以上、前述した電線並び変換プロテクタ１０によれば、２本の電線２０Ａ、２０Ｂの並びを、横並びおよび縦並び間で容易且つ確実に変換して、車体等に取り付けることができる。
【００２２】
なお、本発明の電線並び変換プロテクタ１０は、前述した実施形態に限定されるものでなく、適宜な変形、改良等が可能である。
例えば、前述した各実施形態では、入口１１から出口１２に至る途中において横並びから縦並びに変換する場合について説明したが、入口１１を縦長の開口とし、出口１２を横長の開口とすると、縦並びから横並びに変換することもできる。
【００２３】
並び換えを行う際に、一方の電線２０Ｂを他方の電線２０Ａの上に載せる場合について説明したが、変換プロテクタ１０を取り付ける車体等の形状によっては、一方の電線２０Ｂを他方の電線２０Ａの下側に潜り込ませることも可能である。但しこの場合には、蓋１５が下方に開くものであり、且つ、下に凸形状となる。
【００２４】
また、前述の実施形態においては、図２に示すように、蓋１５の上部１５Ｕと下部１５Ｌとの間の左側面１７Ｌに傾斜面を設けたが、図３に示すように、これを真っ直ぐに平面的に下ろすこともできる。
この場合には、上側に移動される電線２０Ｂを平面的に真っ直ぐに拘束して確実に電線２０Ａの上に乗り上げるように配線できる。
【００２５】
また、前述した実施形態では、２本の電線２０Ａ、２０Ｂの並びの変換について説明したが、図５に示すように、３本以上（図５では３本）について適用することもできる。
この場合の態様としては、図５（Ａ）に示すように横に並列されている３本の電線２０Ａ、２０Ｂ、２０Ｃを、図５（Ｂ）に示すように中央の電線２０Ｂを真っ直ぐに通し、この電線２０Ｂを中心として９０度ねじったような状態、すなわち左右一方の電線２０Ａを電線２０Ｂの上に、他方の電線２０Ｃは電線２０Ｂの下側に配線できる。
【００２６】
あるいは、図５（Ｃ）に示すように、左右一方の電線２０Ｃを真っ直ぐに通し、この電線２０Ｃを中心として９０度ねじったような、すなわち電線２０Ａおよび電線２０Ｂを電線２０Ｃの上に配線できる。
さらに、図５（Ｄ）に示すように、左右一方の電線２０Ａを真っ直ぐに通し、この電線２０Ａを中心として９０度ねじったような、すなわち電線２０Ｂおよび電線２０Ｃを電線２０Ａの下に配線できる。
但し、車体等に取り付けるために、変換プロテクタ１０の底面１４ａを平面上に保持する必要がある場合には、図５（Ｃ）に示したように、一番下の電線Ｃが同一平面上で真っ直ぐに配線されるケースのみが適することになる。
【００２７】
【発明の効果】
以上、説明したように、本発明にかかる電線並び変換プロテクタによれば、入口から入った複数本の電線の位置関係を横並びから縦並びに、あるいは縦並びから横並びに変換して出口から出線するので、確実に電線の並びを変換できる。
【図面の簡単な説明】
【図１】本発明に係る電線並び変換プロテクタの実施形態を示す蓋を開けた状態の斜視図である。
【図２】図１において蓋を閉めた状態を示す斜視図である。
【図３】（Ａ）は変換プロテクタ内の配線を示す正面図であり、（Ｂ）は変換プロテクタ内の配線を示す平面図である。
【図４】蓋の変形例を示す図２に相当する斜視図である。
【図５】３本の電線の並びを変換する場合を示す説明図である。
【図６】従来の変換プロテクタを示す斜視図である。
【符号の説明】
１０  電線並び変換プロテクタ
１１  入口（横長の開口）
１２  出口（縦長の開口）
１３  箱
１５  蓋
２０Ａ、２０Ｂ、２０Ｃ  電線
【図１】
2004242437.tif 000003
【図２】
2004242437.tif 000004
【図３】
2004242437.tif 000005
【図４】
2004242437.tif 000006
【図５】
2004242437.tif 000007
【図６】
2004242437.tif 000008